(57)【要約】      （修正有）【課題】衛生面、安全面、リサイクル面から考え、植込みブラシの植毛の際に金属板を使用することなく、従来製品以上の引張強度を簡単に実現できる植毛技術を提供する。【解決手段】従来の植毛技術に超音波の溶着技術をプラスして植毛する方法である。二つ折りブリッスル３下方中心部分に金属板に変わる樹脂製毛止め板４を使用し植毛穴２に仮止めする。超音波により植毛部・ブリッスル束・樹脂製毛止め板を溶着固定する技術である。【選択図】図４
2006116269.tif 000002
【特許請求の範囲】
【請求項１】
植毛部に形成された複数個の植毛穴にブリッスルを植毛してなるブラシであって、二つ折したブリッスル束の折れ曲がり部分に樹脂製毛止め板を差し込み、植毛穴に各々挿入し、超音波により植毛部・二つ折りブリッスル束・樹脂製毛止め板を溶着し前記ブリッスルが前記植毛部に植毛されてなるブラシ。
【請求項２】
植毛部に形成された複数個の植毛穴にブリッスルを植毛してなるブラシであって、直線ブリッスル束を植毛穴に各々挿入し、超音波により植毛部、直線ブリッスル束が溶着され前記ブリッスルが前記植毛部に植毛されてなるブラシ。
【請求項３】
ブリッスル束が樹脂成分でない製品、たとえば金属・人毛・動植物毛等があり、そのブリッスル束を熱可塑性樹脂穴に挿入し、側面或いは毛の挿入方向、又逆方向より超音波ホーンを押し当て、摩擦熱及び、圧力で熱可塑性樹脂を変形させることにより、ブリッスル束の周囲に樹脂が含浸する。この方法によって、溶着かしめされたブラシ。
【請求項４】
請求項１・２・３の溶着植毛されてなるブラシの製造方法と製造装置
【発明の詳細な説明】
【技術分野】
【０００１】本発明は、植込みブラシの毛止め方法と装置に関する。
【背景技術】
【０００２】植込みブラシ（歯ブラシ）の毛止め方法は、植毛部に形成された複数個の植毛穴に、二つ折りしたブリッスル束の中心部分に金属片（黄銅）をはさみ込み、植毛機にて圧入することでブリッスル束を植毛部に固定していた。【０００３】工業用に使用される植込みブラシでより以上の引張強度の必要な製品に対してはワイヤーでブリッスル束を固定、裏面で互いに結束する方法がとられていた。【０００４】溶着にてブリッスル束を結束する方法には、下記のような文献がある。
実用新案公開平６−５２５５０（歯ブラシ）
特許公開２００１−１７８５４４（歯ブラシ）
特許公表２００２−５４０８７４（歯ブラシ）
【発明者が解決しようとする課題】
【０００５】金属の毛止め板を取り除くことにより樹脂成分単体となりリサイクルを容易にする。
【０００６】植毛穴に金属板を打ち込んだ従来製品では植毛穴・金属片の微細径の違い（マッチング）で植毛強度が異なり、金属板を呑込むような事故の回避。
【０００７】日本の水質はヨーロッパと比較すると軟水（酸性水）である。現在、主に使用されている毛止め板は黄銅（銅・亜鉛の合金）であり、亜鉛は酸性に弱く腐食する確立が高い。このような金属を歯ブラシとして口腔内に入れるのは不適当であることの打開。
【課題を解決するための手段】
【０００８】金属の毛止め板を使用せず樹脂製毛止め板を使用し、二つ折りブリッスル束を仮止めする。
【０００９】次に植込み部の裏面又は側面より超音波を利用し、植込み部・二つ折りブリッスル束・樹脂製毛止め板を溶着し固定する。
【００１０】一列・二列植込みブラシは、側面からの溶着も可能であり直線ブリッスル束を固定することも簡単にできる。
【発明を実施するための最良の形態】
【００１１】以下、本発明の実施形態を図面に基づいて説明する。図１は植毛部表面斜射図である。植毛部１の表面に開けられた植毛穴２に二つ折りブリッスル束３の下方中心部分に樹脂製毛止め板４をはさみ込み従来型の植毛機を使用して植毛をおこなう。【００１２】樹脂製毛止め板４を使用しての植毛はくり返し試みられたが、強度不足が原因で毛抜けがおこり、現在に至っている。【００１３】本発明は、樹脂製毛止め板４を使用する方法と超音波による溶着方法を組み合わせ、植毛強度を飛躍的にアップされる方法である。この方法は全ての植込みブラシに適応するが、第一に歯ブラシにおいて説明する。【００１４】ハンドルは従来品で適応できるが、成形段階において図２のように植毛部裏面に溶着ホーン案内穴５を作っておく。この凹は深さ１ｍｍ程度で表面植毛穴２とは、一直線上に位置するように製造する。図３は植毛部分をＡ−Ａ断面でカットした断面図である。【００１５】植毛穴２全てに従来型植毛機を使用して、樹脂製毛止め板４を二つ折りブリッスル束３の下方中心部分にはさみ込み植毛する。樹脂製毛止め板４の役目は、従来型植毛機が植毛終了後、定位置復帰の際に二つ折りブリッスル束３を連れ戻さないためと、超音波により植毛部１と二つ折りブリッスル束３とを溶着により一体化する２つの要因がある。【００１６】植毛が完了すると、溶着ホーン６にて植毛部１裏面より溶着をする。溶着ホーン先端子６Ａは溶着ホーン案内穴５の中心部分を超音波により溶着する。この際、溶着ホーン案内穴５があることにより、微細なバリができても口腔内を傷つける心配がない。【００１７】図４は溶着断面図を、図５・６・７は溶着進行を表した拡大図である。溶着が終了すると図７のように植毛部１と二つ折りブリッスル束３と樹脂性毛止め板４が一体化、裏面押え溶着部７を形成し従来の植毛ブラシ以上の引張強度を有する。【００１８】又、この方法は前記したように樹脂を主原料とした全ての植込みブラシに使用できる。一列・二列植えブラシに対しては、図８のように一列植毛部１０の左右側面から側面用溶着ホーン９にて溶着固定することができる。図９が溶着固定の状態を示す。ブリッスル束は、二つ折りブリッスル束３の他に直線ブリッスル束８でも溶着による毛止めは有効である。
さらに、金属・人毛・動植物毛ブリッスル束を使用したものに対しても、植毛部１が熱可塑性樹脂成分であれば、超音波により溶融変形した樹脂が植毛穴２に挿入されたブリッスル束周囲に含浸し、熱が冷めると硬化する為、毛を固着することができる。
【発明の効果】
【００１９】以上のように本発明によれば、従来型の植毛機が使用でき、設備を全て変更する必要がなく、低コストで溶着歯ブラシに転換できる。
【００２０】生産面でも、最終工程が一工程増加するだけであり、ハンドル等のデザインの面も最小限の変更で済み、歯ブラシの価格も従来通りに押えることが可能である。
【００２１】金属を一切使用しない為、腐食等による人体に対する弊害もなく、衛生面からの寄与も大きい。又、金属板を呑み込んだり、口の中を傷つけたりの事故も一掃することができた。
【００２２】地球環境の面からも、樹脂成分単位のため、リサイクルが簡単で資源保護効果も大きい。
【００２３】従来の植毛強度に比べ２倍以上の引張強度があり、ワイヤー等で結束していた工業用植込みブラシにも充分適応できる。
【図面の簡単な説明】
【図１】    植毛部表面斜射図
【図２】    植毛部裏面斜射図
【図３】    植毛部断面図（側面図）
【図４】    溶着断面図（側面図）
【図５】    溶着断面図（拡大図）
【図６】    溶着断面図（溶着ホーン最下点拡大図）
【図７】    溶着断面図（溶着完了拡大図）
【図８】    側面溶着斜射図
【図９】    側面溶着図（溶着ホーン最下点拡大図）
【符号の説明】
１、      植毛部
２、      植毛穴
３、      二つ折りブリッスル束
４、      樹脂製毛止め板
５、      溶着ホーン案内穴
６、      溶着ホーン
６Ａ、    溶着ホーン先端子
７、      裏面押さえ溶着部
８、      直線ブリッスル束
９、      側面用溶着ホーン
１０、    一列植毛部
【図１】
2006116269.tif 000003
【図２】
2006116269.tif 000004
【図３】
2006116269.tif 000005
【図４】
2006116269.tif 000006
【図５】
2006116269.tif 000007
【図６】
2006116269.tif 000008
【図７】
2006116269.tif 000009
【図８】
2006116269.tif 000010
【図９】
2006116269.tif 000011